(57)【要約】【課題】  カップ容器に熱湯を注ぎ、オーバーキャップで蓋をした状態においてオーバーキャップから湯気がカップ容器の外側に流れ落ちることを防止しうるオーバーキャップを提供する。【解決手段】  カップ容器１に取り付けるオーバーキャップ３の構造を、カップ容器１のカップフランジ部１ａの外側に嵌合するスカート部３ａと、その上端から内方に、少なくともカップフランジ部１ａの最内周位置まで延びる水平部３ｄと、その内端から斜め上方に延びる傾斜部３ｂと、その上端に連設された天面部３ｃを備えた構造とし、傾斜部内面に付着した湯気がカップ容器１内に戻り、カップ容器外に流出しないようにする。【選択図】  図２
2007069926.tif 000002
【特許請求の範囲】
【請求項１】
カップ容器の開口に取り外し可能な形態で取り付けるオーバーキャップであって、カップ容器のカップフランジ部の外側に嵌合するスカート部と、そのスカート部の上端から内方に、少なくとも前記カップフランジ部の最内周位置まで延びるように連設された水平部と、その水平部の内端から斜め上方に連設された傾斜部と、その傾斜部の上端に連設された天面部とを備えていることを特徴とするオーバーキャップ。
【発明の詳細な説明】
【技術分野】
【０００１】
本発明は、紙カップ等のカップ容器に取り外し可能な形態で取り付けるオーバーキャップに関する。
【背景技術】
【０００２】
ラーメンなどのインスタント食品をカップ容器に収容した製品は、内容物を収容したカップ容器の開口を、紙を基材とする蓋材をヒートシールして密封した後、全体をシュリンク包装しているのが一般的である。しかし、最近は、（１）店頭で見栄えをよくする（大きくみせる）ため、（２）他製品と差別化するためなどで、図１２に示すようにカップ容器１にシート成形によって製造したオーバーキャップ２を取り付けた商品が増えてきている。この様な商品は、オーバーキャップ２を外し、カップ容器１内に熱湯を入れた後、オーバーキャップ２でふたをし、所定時間後、オーバーキャップ２を外し、内容物を飲食していた。
【０００３】
ところが、従来のオーバーキャップには問題のあることが判明した。すなわち、従来のオーバーキャップ２は、図１３に拡大して示すように、カップ容器１のカップフランジ部１ａの外側に嵌合するスカート部２ａと、そのスカート部の上端から斜め上方に連設された傾斜部２ｂと、その傾斜部２ｂの上端に連設された天面部２ｃ等を備えており、カップ容器１内に熱湯を注いで調理する際、スカート部２ａをカップフランジ部１ａに嵌合させてカップ容器１の開口を閉じているが、カップ容器１が紙カップで形成されていた場合、水分を吸収して多少軟化してカップフランジ部１ａの剛性が低下し、カップフランジ部１ａとオーバーキャップ２との間に隙間が生じることがあり、内容物の飲食に当たってカップ容器１からオーバーキャップ２を外そうとした際に、オーバーキャップ２の内面に付着していた湯気がカップ容器外側に流れ落ち、その湯気で火傷をすることがあった。
【発明の開示】
【発明が解決しようとする課題】
【０００４】
本発明はかかる問題点に鑑みてなされたもので、紙カップなどの水分を吸収して多少軟化する恐れのあるカップ容器に対して用いても、湯気がカップ容器外に流れ落ちることのないオーバーキャップを提供することを課題とする。
【課題を解決するための手段】
【０００５】
本発明は、カップ容器のカップフランジ部の外側に嵌合するスカート部と、その上端側に設けられた傾斜部とを備えたオーバーキャップにおいて、オーバーキャップからの湯気のカップ容器外への流れ落ちを防止するため、スカート部の上端から内方に、少なくとも前記カップフランジ部の最内周位置まで延びるように水平部を設け、その水平部の内端に傾斜部を接続するという構成としたものである。
【発明の効果】
【０００６】
本発明のオーバーキャップは、水平部を設け、その分、傾斜部を内側に移動させているため、傾斜部内面に付着した湯気が傾斜部に沿って流れ落ちても、その湯気はカップ容器内に流れ落ちるのみで、スカート部にまでは流れて行かず、このためカップ容器外に湯気が流れ出して火傷するということがない。
【発明を実施するための最良の形態】
【０００７】
図１は本発明の好適な実施の形態に係るオーバーキャップをカップ容器に取り付けた状態で示す概略断面図、図２はオーバーキャップをカップ容器に取り付けた状態で、且つ図３のＯ−Ａ線に沿った位置で示す概略断面図、図３はオーバーキャップの概略平面図、図４はオーバーキャップの概略側面図及び図４のＯ−Ａ線に沿った位置の概略断面図、図５は図４のＯ−Ｂ線に沿った位置の概略断面図、図６はオーバーキャップをカップ容器に取り付けた状態で、且つ図３のＯ−Ｂ線に沿った位置で示す概略断面図、図７はオーバーキャップを積み重ねた状態で示す概略断面図である。１は紙カップなどのカップ容器、１ａはカップ容器１の上端開口を取り囲んで形成されたカップフランジ部である。３はカップ容器の開口に取り外し可能な形態で取り付けられたオーバーキャップである。
【０００８】
オーバーキャップ３は、カップ容器１のカップフランジ部１ａの外側に嵌合するスカート部３ａと、そのスカート部３ａの上端から内方に、少なくとも前記カップフランジ部の最内周位置まで延びるように連設された水平部３ｄと、その水平部３ｄの内端（内側の端部）から斜め上方に連設された傾斜部３ｂと、その傾斜部３ｂの上端に連設された天面部３ｃ等を備えている。スカート部３ａには円周方向に離れた複数箇所に、内方に突出し且つ水平に延びる凸部１１が形成され、スカート部３ａを補強すると共にスカート部３ａがカップフランジ部１ａから抜け難くしている。水平部３ｄは、傾斜部３ｂの内面に付着した湯気が傾斜部３ｂの内面に沿って流下した際に、カップ容器１内に流れ落ちるように設けたものであり、その内端がカップフランジ部１ａの最内周位置と一致する位置或いはそれよりも更に内側となるように、半径方向の長さが定められている。なお、水平部３ｄの内端位置を、カップフランジ部１ａの最内周位置よりもかなり内側となるようにすると、それに伴って傾斜部３ｂの直径が小さくなり、オーバーキャップ３が小さく見えて見栄えが悪くなるので、これを避けるためには、水平部３ｄの内端位置を、カップフランジ部１ａの最内周位置になるべく近づけておくことが好ましく、例えば、水平部３ｄの内端位置とカップフランジ部１ａの最内周位置の距離を１ｍｍ以下とすることが好ましい。
【０００９】
傾斜部３ｂには円周方向に離れた複数箇所に、内方に突出し且つ上方に延びる凸部１２が形成され、傾斜部３ｂを補強している。図６から良く分かるように、凸部１２の底面１２ａは、水平部３ｄと同一面となるように形成されている。これにより、カップ容器１のカップフランジ部１ａにスカート部３ａを嵌合させてオーバーキャップ３を取り付ける際、何らかの理由で水平部３ｄがカップフランジ部１ａに対して横方向にずれた位置となったとしても、凸部１２の底面１２ａがカップフランジ部１ａの上面に突き当たってその位置に保持されることとなり、オーバーキャップ３がカップフランジ部１ａに対して異常な深さに押し込まれてしまうということを防止できる。天面部３ｃには環状の凹み１３が形成されている。この凹み１３は、オーバーキャップ付のカップ容器１を積み重ねる際に、上側のカップ容器１の底部を挿入させることができるように設けたものである。凹み１３の外側の壁面にも円周方向に離れた複数箇所に外側に突出し且つ上方に延びる凸部１４が形成され、環状の凹み１３を補強している。
【００１０】
オーバーキャップ３の材質としては、ポリスチレン（ＰＳ）、ポリプロピレン（ＰＰ）、ポリエチレンテレフタレート（ＰＥＴ）などの樹脂を例示でき、製造方法としては、シート成形、射出成形等を例示できるが、なかでも、延伸ポリスチレン（ＯＰＳ）のシート成形が最も好ましい。
【００１１】
上記構成のオーバーキャップ３も、従来のオーバーキャップと同様に使用される。例えば、内容物を入れたカップ容器１に取り付けられ、全体をシュリンク包装した製品として販売される。入手した人は、オーバーキャップ３を外し、カップ容器１に熱湯を注ぎ、オーバーキャップ３で蓋をし、所定の時間経過後にオーバーキャップ３を外して内容物を飲食する。この際、図２から良く分かるように、カップ容器１のカップフランジ部１ａの上面に水平部３ｄが接触しており（なお、図面では隙間があるように描いているが、これは図面を分かり易くするためである）、その内側に傾斜部３ｂが位置している。このため、湯気が傾斜部３ｂの内面に付着し、その傾斜部３ｂに沿って流下しても、流下した湯気はカップ容器１内に戻り、スカート部３ａにまで流れ出ることはない。かくして、湯気による火傷の危険を回避できる。
【００１２】
ところで、このオーバーキャップ３の保管や運搬時には、オーバーキャップ３を積み重ねた状態とする。その場合には、図７に示すように、傾斜部３ｂに形成している凸部１２の位置を円周方向に揃えておくことで、下側のオーバーキャップ３の天面部３ｃの上面に、上側のオーバーキャップ３の凹み１３の底面が接触する形態で積み重ねることができる。
【００１３】
なお、このオーバーキャップ３は積み重ねる際、傾斜部３ｂに形成している凸部１２の位置を円周方向に揃えておくことが必要であるが、凸部１２の形成位置を変えるとか、傾斜部３ｂの傾斜を変えることによって、凸部１２の位置を円周方向に揃えなくても積み重ねることができるようにすることも可能である。以下、その場合の実施の形態を説明する。図８、図９はその場合の実施の形態に係るオーバーキャップ３Ａを示すものである。このオーバーキャップ３Ａは、傾斜面３ｂに形成する凸部１２を、その底面１２ａが天面部３ｃに形成している凹み１３の底面に一致する高さとなる位置に形成している。その他の構造は、図１〜図７に示すオーバーキャップ３と同様である。図８に示すオーバーキャップ３Ａは、図９に示すように、下側のオーバーキャップ３Ａの凸部を形成していない領域に、上側のオーバーキャップ３Ａの凸部１２が位置するように重ね合わせた場合でも、下側のオーバーキャップ３Ａの天面部３ｃの上面に、上側のオーバーキャップ３Ａの凹み１３の底面が接触する形態で積み重ねることができる。
【００１４】
図１０、図１１は他の実施の形態に係るオーバーキャップ３Ｂを示すものである。このオーバーキャップ３Ｂでは、図１〜図７に示すオーバーキャップ３と同様に傾斜面３ｂに形成する凸部１２をその底面１２ａが水平部３ｄと同一面となるように形成しているが、傾斜面３ｂを、オーバーキャップ３Ｂを積み重ねた際に上側のオーバーキャップ３Ｂの凸部１２に干渉しないように大きく内側に傾斜させている。その他の構造は、図１〜図７に示すオーバーキャップ３と同様である。図１０に示すオーバーキャップ３Ｂも、図１１に示すように、下側のオーバーキャップ３Ｂの凸部を形成していない領域に、上側のオーバーキャップ３Ｂの凸部１２が位置するように重ね合わせた場合でも、下側のオーバーキャップ３Ｂの天面部３ｃの上面に、上側のオーバーキャップ３Ｂの凹み１３の底面が接触する形態で積み重ねることができる。
【００１５】
以上に本発明の好適な実施の形態を説明したが、本発明はこれらの実施の形態に限定されるものではなく、特許請求の範囲の記載の範囲内で適宜変更可能である。
【図面の簡単な説明】
【００１６】
【図１】本発明の好適な実施の形態に係るオーバーキャップをカップ容器に取り付けた状態で示す概略断面図
【図２】オーバーキャップをカップ容器に取り付けた状態で、且つ図３のＯ−Ａ線に沿った位置で示す概略断面図
【図３】オーバーキャップの概略平面図
【図４】オーバーキャップの概略側面図及び図４のＯ−Ａ線に沿った位置の概略断面図
【図５】図４のＯ−Ｂ線に沿った位置の概略断面図
【図６】オーバーキャップをカップ容器に取り付けた状態で、且つ図３のＯ−Ｂ線に沿った位置で示す概略断面図
【図７】オーバーキャップを積み重ねた状態で示す概略断面図
【図８】本発明の他の実施の形態に係るオーバーキャップをカップ容器に取り付けた状態で示すもので、（ａ）は傾斜部に凸部を形成していない領域の概略断面図、（ｂ）は傾斜部に凸部を形成している領域の概略断面図
【図９】図８に示すオーバーキャップを積み重ねた状態で示す概略断面図
【図１０】本発明の更に他の実施の形態に係るオーバーキャップをカップ容器に取り付けた状態で示すもので、（ａ）は傾斜部に凸部を形成していない領域の概略断面図、（ｂ）は傾斜部に凸部を形成している領域の概略断面図
【図１１】図１０に示すオーバーキャップを積み重ねた状態で示す概略断面図
【図１２】従来のオーバーキャップをカップ容器に取り付けた状態で示す概略断面図
【図１３】図１２の一部を拡大して示す概略断面図
【符号の説明】
【００１７】
１  カップ容器
１ａ  カップフランジ部
２、３、３Ａ、３Ｂ  オーバーキャップ
２ａ、３ａ  スカート部
２ｂ、３ｂ  傾斜部
２ｃ、３ｃ  天面部
３ｄ  水平部
１１、１２、１４  凸部
１３  凹み
【図１】
2007069926.tif 000003
【図２】
2007069926.tif 000004
【図３】
2007069926.tif 000005
【図４】
2007069926.tif 000006
【図５】
2007069926.tif 000007
【図６】
2007069926.tif 000008
【図７】
2007069926.tif 000009
【図８】
2007069926.tif 000010
【図９】
2007069926.tif 000011
【図１０】
2007069926.tif 000012
【図１１】
2007069926.tif 000013
【図１２】
2007069926.tif 000014
【図１３】
2007069926.tif 000015